(57)【要約】【課題】複数のブロックにより構成される筐体構造を備える撮影装置において、発光部の配置に工夫を施して、発光部を発光させた撮影時に被写体に影ができにくくする。【解決手段】撮影レンズ４を備える第１ブロック１と、その第１ブロック１に回転可能に結合され、表示部５を備える第２ブロック２と、これら第１ブロック１及び第２ブロック２を部分的に覆い、且つ第１ブロック１に回転可能に結合される第３ブロック３と、から構成される撮影装置であって、第３ブロック３に、発光部８を備える。具体的には、第３ブロック３の発光部８は、第１ブロック１の撮影レンズ４から離間した位置に配置されて、当該第３ブロック３の表面と裏面の両面に配置される。【選択図】図１
2016099588.tif 000002
【特許請求の範囲】
【請求項１】
撮影レンズを備える第１ブロックと、
前記第１ブロックに回転可能に結合され、表示部を備える第２ブロックと、
前記第１ブロック及び第２ブロックを部分的に覆い、且つ前記第１ブロックに回転可能に結合される第３ブロックと、から構成される撮影装置であって、
前記第３ブロックに、発光部を備えることを特徴とする撮影装置。
【請求項２】
前記第３ブロックの前記発光部は、前記第１ブロックの前記撮影レンズから離間した位置に配置されることを特徴とする請求項１に記載の撮影装置。
【請求項３】
前記第３ブロックの前記発光部は、当該第３ブロックの表面と裏面の両面に配置されることを特徴とする請求項１または２に記載の撮影装置。
【請求項４】
前記第３ブロックの前記発光部は、当該第３ブロックに対して回動することを特徴とする請求項１または２に記載の撮影装置。
【発明の詳細な説明】
【技術分野】
【０００１】
本発明は、複数のブロックにより構成される筐体構造を備える撮影装置に関する。
【背景技術】
【０００２】
特許文献１において、撮影レンズを備える第１ブロックと、その第１ブロックに回転可能に結合され、表示部を備える第２ブロックと、これら第１ブロック及び第２ブロックを部分的に覆い、且つ第１ブロックに回転可能に結合される第３ブロックと、から構成される筐体構造のカメラが提案される。
このような筐体構造を備えるカメラにおいて、第１ブロックの撮影レンズの周辺に発光デバイス（キセノンストロボ、ＬＥＤライト）を配置し、撮影時に発光させ、被写体に光を当てる。
【先行技術文献】
【特許文献】
【０００３】
【特許文献１】特開２０１２−１３３０６１号公報
【発明の概要】
【発明が解決しようとする課題】
【０００４】
しかし、特許文献１のような筐体構造を備えるカメラでは、発光部を発光させた撮影においては、発光部が撮影レンズ周辺にあるため、周囲部品によるケラレ等により被写体に影ができやすいという問題がある。
【０００５】
本発明の課題は、複数のブロックにより構成される筐体構造を備える撮影装置において、発光部の配置に工夫を施して、発光部を発光させた撮影時に被写体に影ができにくくすることである。
【課題を解決するための手段】
【０００６】
以上の課題を解決するため、本発明は、
撮影レンズを備える第１ブロックと、
前記第１ブロックに回転可能に結合され、表示部を備える第２ブロックと、
前記第１ブロック及び第２ブロックを部分的に覆い、且つ前記第１ブロックに回転可能に結合される第３ブロックと、から構成される撮影装置であって、
前記第３ブロックに、発光部を備えることを特徴とする。
【発明の効果】
【０００７】
本発明によれば、複数のブロックにより構成される筐体構造を備える撮影装置において、発光部を発光させた撮影時に被写体に影ができにくくすることができる。
【図面の簡単な説明】
【０００８】
【図１】本発明を適用した撮影装置の一実施形態の構成を示すもので、筐体を折り畳んで横にした状態の正面図（ａ）、筐体を開いた状態の斜視図（ｂ）、筐体を折り畳んで縦にした状態の正面図（ｃ）である。
【図２】横にした状態から筐体を少し開いた状態の斜視図（ａ）、その第３ブロックの矢印Ｂ部の内部構造を示した拡大図（ｂ）、その矢印Ｃ部の発光部の拡大図（ｃ）である。
【図３】図２の発光部の配線構造を含む拡大斜視図である。
【図４】図２（ａ）の矢印Ａ−Ａ線に沿った拡大断面図である。
【図５】実施形態２を示すもので、筐体を折り畳んで横にした状態の斜視図（ａ）、その発光部の向きを変える状態を示す図（ｂ）である。
【図６】図５の筐体を開いた状態の斜視図（ａ）、筐体を折り畳んで縦にした状態の正面図（ｂ）である。
【発明を実施するための形態】
【０００９】
以下、図を参照して本発明を実施するための形態を詳細に説明する。
（実施形態１）
図１（ａ）（ｂ）及び（ｃ）は本発明を適用した撮影装置の一実施形態の構成を示すもので、１はレンズブロック、２は表示ブロック、３はグリップブロック、４は撮影レンズ、５は表示部、６はメイン発光部、７はシャッターボタン、８はサブ発光部である。
【００１０】
図示のように、カメラの筐体は、レンズブロック１、表示ブロック２、グリップブロック３の三ブロックに分かれている。
そして、撮影レンズ４を中央に備えるレンズブロック１に対して、表示部５を一面に備える表示ブロック２が、第１ヒンジ軸（図略）を介して結合されて、その第１ヒンジ軸を中心に回転可能となっている。
さらに、レンズブロック１に対して、そのレンズブロック１及び表示ブロック２を囲む形状の枠体によるグリップブロック３が、前記第１ヒンジ軸と直交する第２ヒンジ軸（図略）を介して結合されて、その第２ヒンジ軸を中心に回転可能となっている。
【００１１】
すなわち、図１（ａ）及び（ｃ）に示すように、レンズブロック１、表示ブロック２、及びグリップブロック３の折り畳み状態から、例えば図１（ｂ）に示すように、レンズブロック１に対してグリップブロック３が第２ヒンジ軸回りに３６０度フリー回転をする。
また、レンズブロック１に対して表示ブロック２を第１ヒンジ軸回りに回転させることにより、様々な撮影スタイルを選択することができる。
【００１２】
そして、レンズブロック１の撮影レンズ４の周辺にメイン発光部６が実装されている。このメイン発光部６は、例えばシャッターボタン７を押す撮影操作に合わせて発光する。
なお、シャッターボタン７は、グリップブロック３の長辺部の一側部に設けられている。
【００１３】
また、グリップブロック３のレンズブロック１と反対側の先端部中央の両面にサブ発光部８が実装されている。このサブ発光部８は、シャッターボタン７を押す撮影操作に合わせて発光する。
【００１４】
以上のサブ発光部８は、図２（ａ）（ｂ）及び（ｃ）に示すように、フレキシブル基板９のグリップブロック３内部のグリップフレーム３ａの先端部中央を挟むように取り付ける両面側に一対実装されている。
【００１５】
こうして一対のサブ発光部８を実装したフレキシブル基板９の両側に一対のリード線１１がそれぞれ半田付けして接続されている。この一対のリード線１１は、グリップフレーム３ａの長辺部の一側部に取り付けるフレキシブル基板１２の両面側にそれぞれ半田付けして接続されている。このフレキシブル基板１２には、シャッターボタン７の押し操作により動作するシャッターキー１３が実装されている。
このシャッターキー１３を実装したフレキシブル基板１２は、図示しないリード線等を介してレンズブロック１内を経て表示ブロック２内のメイン基板（図略）に電気的に接続されている。
【００１６】
なお、サブ発光部８は、具体的には、図３に示すように、フレキシブル基板９のグリップフレーム３ａの先端部中央を挟む両面側にＬＥＤ（発光ダイオード）８ａを一対実装して、そのＬＥＤ８ａを各々覆う一対のＬＥＤレンズ８ｂを設けて構成される。
【００１７】
以上のように、レンズブロック１、表示ブロック２、及びグリップブロック３からなる筐体構造のカメラは、図１（ａ）（ｂ）及び（ｃ）や図２（ａ）に示すように、撮影スタイルの相違によって、グリップブロック３のユーザーに対する面が変わるため、そのような撮影スタイルの相違に対応できるようグリップブロック３の先端部中央の両面にサブ発光部８が実装されている。
【００１８】
図４は図２（ａ）の矢印Ａ−Ａ線に沿った拡大断面を示し、４１は小凹部、４２はロックピン、４３はロックばね、４４はストラップ通し部材である。
【００１９】
レンズブロック１と反対側において、図示のように、表示ブロック２の端面中央に小凹部４１が形成されて、グリップブロック３の先端部中央には、内側面から先端が突出するロックピン４２が組み込まれている。
このロックピン４２は、グリップブロック３の先端部中央内のロックばね４３により突出方向に付勢されている。このロックばね４３は、グリップブロック３の先端部中央に組み込まれて外側面に先端が露出するストラップ通し部材４４との間に配置されている。図示例では、このストラップ通し部材４４を挟んで対向するようにフレキシブル基板９上のＬＥＤ８ａ及びＬＥＤレンズ８ｂからなるサブ発光部８が一対配置されている。
【００２０】
図４に示すように、ロックばね４３の付勢によりロックピン４２の先端が小凹部４１に係合したロック状態に保たれることで、レンズブロック１と反対側において、表示ブロック２とグリップブロック３が係合状態に保持される。
これにより、図１（ａ）及び（ｃ）に示すような通常のカメラスタイルで表示ブロック２のコントロールキーを親指で操作する際、その操作中に指で表示ブロック２や表示部５の画面を押し込んだ際に、表示ブロック２のグラつきを防ぐことができる。
なお、表示ブロック２とグリップブロック３を相対的にレンズブロック１及び第２ヒンジ軸を介して開く場合は、ロックピン４２の先端がロックばね４３の付勢に抗して小凹部４１から離脱し、ロックが解除された状態になる。
【００２１】
以上、実施形態のカメラによれば、レンズブロック１に対し第２ヒンジ軸を中心に回転するグリップブロック３の先端部中央の表裏両面にサブ発光部８を備えているので、撮影時に被写体に対して最適な光を当てることができる。
【００２２】
すなわち、具体的には、例えば図１（ｂ）に示すように、レンズブロック１及び表示ブロック２に対して第２ヒンジ軸回りにグリップブロック３を開いたり、図１（ｃ）に示すように、レンズブロック１、表示ブロック２、及びグリップブロック３を折り畳んで縦にした状態にしたりなどして、自分撮りする際など、撮影レンズ４に対して高い位置にサブ発光部８を配置できるため、撮影時に被写体の影ができにくい。
【００２３】
また、レンズブロック１の撮影レンズ４周囲のメイン発光部６を撮影時に発光動作させない制御にすることで、撮影レンズ４の周辺に撮影時に発光する発光部がないため、被写体の人物等が赤目になりにくい。
【００２４】
そして、例えば図１（ｂ）に示すように、撮影レンズ４の光軸方向と別方向にサブ発光部８を向けられるため、バウンス効果を活かした撮影ができる。
【００２５】
さらに、撮影レンズ４周囲のメイン発光部６とグリップブロック３先端部のサブ発光部８を併用することで、暗い部屋でも十分な光量を得ることができる。
【００２６】
（実施形態２）
図５及び図６は実施形態２を示すもので、図示のように、グリップブロック３の先端部中央に、その外側面に開放する切り欠き部３ｃが形成されて、この切り欠き部３ｃに、サブ発光部８を備える可動部材５１が図示しない軸部材を介して回転自在に組み付けられている。なお、サブ発光部８に電気を供給する図示しないリード線は、軸部材の内部を通して配線される。
【００２７】
このように、グリップブロック３の先端部中央の切り欠き部３ｃに、サブ発光部８を備える可動部材５１が回転自在に組み付けられているので、例えば図５（ａ）に示すように、レンズブロック１、表示ブロック２、及びグリップブロック３を折り畳んで横にして、そのグリップブロック３の先端部中央の切り欠き部３ｃの可動部材５１のサブ発光部８を外側に向けた状態から、図５（ｂ）に示すように、可動部材５１を回転させてサブ発光部８の向きを変えて、撮影することができる。
【００２８】
また、図６（ａ）に示すように、レンズブロック１及び表示ブロック２に対して第２ヒンジ軸回りにグリップブロック３を開いたり、図６（ｂ）に示すように、レンズブロック１、表示ブロック２、及びグリップブロック３を折り畳んで縦にした状態にしたりなどして、可動部材５１を回転させてサブ発光部８の向きを変えて、撮影することができる。
【００２９】
以上のように、グリップブロック３先端部のサブ発光部８を備える可動部材５１が回転することにより、撮影スタイルごとに好きな方向に光を当てられるようにしてもよい。
【００３０】
（変形例）
以上の実施形態においては、カメラとしたが、本発明はこれに限定されるものではなく、カメラを備える携帯電話など他の電子機器であってもよい。
また、発光部の形状や位置等も任意であり、その他、具体的な細部構造等についても適宜に変更可能であることは勿論である。
【００３１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
撮影レンズを備える第１ブロックと、
前記第１ブロックに回転可能に結合され、表示部を備える第２ブロックと、
前記第１ブロック及び第２ブロックを部分的に覆い、且つ前記第１ブロックに回転可能に結合される第３ブロックと、から構成される撮影装置であって、
前記第３ブロックに、発光部を備えることを特徴とする撮影装置。
＜請求項２＞
前記第３ブロックの前記発光部は、前記第１ブロックの前記撮影レンズから離間した位置に配置されることを特徴とする請求項１に記載の撮影装置。
＜請求項３＞
前記第３ブロックの前記発光部は、当該第３ブロックの表面と裏面の両面に配置されることを特徴とする請求項１または２に記載の撮影装置。
＜請求項４＞
前記第３ブロックの前記発光部は、当該第３ブロックに対して回動することを特徴とする請求項１または２に記載の撮影装置。
【符号の説明】
【００３２】
１  第１ブロック
２  第２ブロック
３  第３ブロック
３ａ  グリップフレーム
３ｃ  切り欠き部
４  撮影レンズ
５  表示部
６  メイン発光部
７  シャッターボタン
８  サブ発光部
８ａ  ＬＥＤ
８ｂ  ＬＥＤレンズ
９  フレキシブル基板
１１  リード線
１２  フレキシブル基板
１３  シャッターキー
４１  小凹部
４２  ロックピン
４３  ロックばね
４４  ストラップ通し部材
５１  可動部材
【図１】
2016099588.tif 000003
【図２】
2016099588.tif 000004
【図３】
2016099588.tif 000005
【図４】
2016099588.tif 000006
【図５】
2016099588.tif 000007
【図６】
2016099588.tif 000008